(57)【要約】【課題】宛先リストを用いて通信先の端末と通信を開始する通信システムにおいて、利用者が端末を用いて他の端末と迅速に通信を開始することができるようにする。【解決手段】情報処理端末は、複数の情報処理端末の間で行われる識別情報を用いた通信の宛先を管理する管理システムとネットワークを介して通信可能な情報処理端末であって、前記管理システムから、前記情報処理端末の通信の宛先として管理されている宛先識別情報を受信する受信部と、前記宛先識別情報を示す宛先リストを前記情報処理端末の表示部に表示させる表示制御部と、識別情報の入力を受付ける受付部と、を有し、前記表示制御部は、前記受付部が受付けた前記識別情報が前記宛先識別情報である場合、表示された前記宛先リストに含まれる前記宛先識別情報を判別可能に表示する。【選択図】図６
2018050283.tif 000002
【特許請求の範囲】
【請求項１】
複数の情報処理端末の間で行われる識別情報を用いた通信の宛先を管理する管理システムとネットワークを介して通信可能な情報処理端末であって、
前記管理システムから、前記情報処理端末の通信の宛先として管理されている宛先識別情報を受信する受信部と、
前記宛先識別情報を示す宛先リストを前記情報処理端末の表示部に表示させる表示制御部と、
識別情報の入力を受付ける受付部と、
を有し、
前記表示制御部は、前記受付部が受付けた前記識別情報が前記宛先識別情報である場合、表示された前記宛先リストに含まれる前記宛先識別情報を判別可能に表示することを特徴とする情報処理端末。
【請求項２】
前記表示制御部は、前記受付部が受付けた前記識別情報が前記宛先識別情報でない場合、受付した前記識別情報が前記宛先識別情報でないことを前記表示部に表示させることを特徴とする請求項１に記載の情報処理端末。
【請求項３】
前記受付部が受付けた前記識別情報が前記宛先識別情報である場合、前記管理システムに前記通信の開始を要求する要求情報を送信する送信部と、を備える請求項１または請求項２に記載の情報処理端末。
【請求項４】
前記受信部は、前記宛先識別情報を用いた情報処理端末の状態情報を受信し、
前記受信部が受信した前記状態情報が、前記情報処理端末が通信できない状態であることを示す場合、
前記送信部は、前記管理システムに前記通信の開始を要求する前記要求情報の送信を中止する請求項３記載の情報処理端末。
【請求項５】
前記受信部が受信した前記状態情報が、前記情報処理端末が通信できない状態であることを示す場合、
前記表示制御部は、前記情報処理端末が通信できない状態であることを示す表示画面を前記表示部に表示させる請求項４に記載の情報処理端末。
【請求項６】
前記受信部は、前記宛先識別情報を用いた情報処理端末の状態情報を受信し、
前記受信部が受信した前記状態情報が、前記情報処理端末が通信中の状態であることを示す場合、
前記送信部は、通信への参加を要求する参加要求情報を、前記管理システムに送信する請求項３から請求項５のいずれか一項に記載の情報処理端末。
【請求項７】
前記受信部が受信した前記状態情報が、前記情報処理端末が通信中の状態であることを示す場合、
前記表示制御部は、前記宛先識別情報を用いた情報処理端末との通信の通信画面、又は前記通信の準備をしていることを示す通信準備画面を前記表示部に表示させる請求項６に記載の情報処理端末。
【請求項８】
前記受信部は、前記宛先識別情報を用いた情報処理端末の状態情報を受信し、
前記受信部が受信した前記状態情報が、前記情報処理端末が通信可能な状態であることを示す場合、
前記送信部は、前記宛先識別情報を用いた情報処理端末との通信の開始を要求する開始要求情報を、前記管理システムに送信する請求項３から請求項５のいずれか一項に記載の情報処理端末。
【請求項９】
前記受信部が受信した前記状態情報が、前記情報処理端末が通信可能な状態であることを示す場合、
前記表示制御部は、前記宛先識別情報を用いた情報処理端末に発信中であることを示す表示画面を前記表示部に表示させる請求項８に記載の情報処理端末。
【請求項１０】
前記受付部が受付けた前記識別情報が前記宛先識別情報でない場合、
前記表示制御部は、前記識別情報の前記宛先リストへの登録を促すための表示画面を前記表示部に表示させる請求項１から請求項９のいずれか一項に記載の情報処理端末。
【請求項１１】
複数の情報処理端末の間で行われる識別情報を用いた通信の宛先を管理する管理システムとネットワークを介して通信可能な情報処理端末に、
前記管理システムから、前記情報処理端末の通信の宛先として管理されている宛先識別情報を受信するステップと、
前記宛先識別情報を示す宛先リストを前記情報処理端末の表示部に表示させるステップと、
識別情報の入力を受付けるステップと、
受付けた前記識別情報が前記宛先識別情報である場合、表示された前記宛先リストに含まれる前記宛先識別情報を判別可能に表示するステップと、
を実行させるためのプログラム。
【請求項１２】
複数の情報処理端末の間で行われる識別情報を用いた通信の宛先を管理する管理システムと、前記管理システムとネットワークを介して通信可能な情報処理端末とを含む通信システムであって、
前記情報処理端末は、
前記管理システムから、前記情報処理端末の通信の宛先として管理されている宛先識別情報を受信する受信部と、
前記宛先識別情報を示す宛先リストを前記情報処理端末の表示部に表示させる表示制御部と、
識別情報の入力を受付ける受付部と、
を有し、
前記表示制御部は、前記受付部が受付けた前記識別情報が前記宛先識別情報である場合、表示された前記宛先リストに含まれる前記宛先識別情報を判別可能に表示することを特徴とする通信システム。
【請求項１３】
前記管理システムは、
前記情報処理端末毎に、前記宛先識別情報を管理する宛先リスト管理部と、
前記情報処理端末毎に、該情報処理端末の状態を示す状態情報を管理する端末管理部と、
前記情報処理端末の間の通信を管理するセッション管理部と、
を有する請求項１２に記載の通信システム。
【請求項１４】
複数の情報処理端末の間で行われる識別情報を用いた通信の宛先を管理する管理システムとネットワークを介して通信可能な情報処理端末が実行する情報処理方法であって、
前記管理システムから、前記情報処理端末の通信の宛先として管理されている宛先識別情報を受信するステップと、
前記宛先識別情報を示す宛先リストを前記情報処理端末の表示部に表示させるステップと、
識別情報の入力を受付けるステップと、
受付けた前記識別情報が前記宛先識別情報である場合、表示された前記宛先リストに含まれる前記宛先識別情報を判別可能に表示するステップと、
を含む、情報処理方法。
【発明の詳細な説明】
【技術分野】
【０００１】
本発明は、情報処理端末、通信システム、情報処理方法、及びプログラムに関する。
【背景技術】
【０００２】
インターネット等の通信ネットワークを介して遠隔地との間で、遠隔会議を行う会議システムが普及している。
【０００３】
このような遠隔会議システムにおいて、端末に、通信の宛先の候補となる複数の端末の情報を宛先リストとして表示させ、宛先リストから宛先の端末を選択することにより、宛先の端末との通信の開始を容易にする技術が知られている（例えば、特許文献１参照）。
【０００４】
また、宛先の候補となる端末の状態に応じて宛先リストを表示させる遠隔会議システムにおいて、宛先リスト内の端末の状態が変化した場合、カーソルの移動の有無に応じて、宛先リストの表示方法を変更する技術が知られている（例えば、特許文献２参照）。
【発明の概要】
【発明が解決しようとする課題】
【０００５】
特許文献１、２に示される遠隔会議システムのように、宛先リストを用いて通信先の端末と通信を開始する通信システムでは、利用者が接続したい端末を宛先リストから見つけ出すために時間を要する場合がある。また、利用者が接続したい端末が宛先リストに登録されていない場合、宛先リストに登録されていないことを確認すること自体に、時間を要してしまう場合もある。
【０００６】
このように、従来の技術では、宛先リストを用いて通信先の端末と通信を開始する通信システムにおいて、利用者が端末を用いて他の端末と通信を開始するために時間を要する場合がある。
【０００７】
本発明の実施の形態は、上記問題点に鑑みてなされたものであって、宛先リストを用いて通信先の端末と通信を開始する通信システムにおいて、利用者が端末を用いて他の端末と迅速に通信を開始することができるようにすることを目的とする。
【課題を解決するための手段】
【０００８】
上記課題を解決するため、本発明の一実施形態に係る情報処理端末は、複数の情報処理端末の間で行われる識別情報を用いた通信の宛先を管理する管理システムとネットワークを介して通信可能な情報処理端末であって、前記管理システムから、前記情報処理端末の通信の宛先として管理されている宛先識別情報を受信する受信部と、前記宛先識別情報を示す宛先リストを前記情報処理端末の表示部に表示させる表示制御部と、識別情報の入力を受付ける受付部と、を有し、前記表示制御部は、前記受付部が受付けた前記識別情報が前記宛先識別情報である場合、表示された前記宛先リストに含まれる前記宛先識別情報を判別可能に表示することを特徴とする。
【発明の効果】
【０００９】
本発明の実施の形態によれば、宛先リストを用いて通信先の端末と通信を開始する通信システムにおいて、利用者が端末を用いて他の端末と迅速に通信を開始することができるようになる。
【図面の簡単な説明】
【００１０】
【図１】一実施形態に係る伝送システムの概略図である。
【図２】伝送システムにおける画像データ、音データ及び各種管理情報の送受信の状態を示した概念図である。
【図３】一実施形態に係る端末の一例の外観図である。
【図４】一実施形態に係る端末のハードウェア構成の例を示す図である。
【図５】一実施形態に係る管理システムのハードウェア構成の例を示す図である。
【図６】一実施形態に係る端末、及び管理システムの機能構成図である。
【図７】一実施形態に係る管理システムが管理する情報の例を示す図（１）である。
【図８】一実施形態に係る管理システムが管理する情報の例を示す図（２）である。
【図９】一実施形態に係る準備段階の処理の例を示すシーケンス図である。
【図１０】一実施形態に係る宛先リストの例を示す図である。
【図１１】一実施形態に係る通信処理の例を示すシーケンス図である。
【図１２】第１の実施形態に係る端末の発信処理の例を示すフローチャートである。
【図１３】第１の実施形態に係る識別情報による発信画面の例を示す図である。
【図１４】第１の実施形態に係る端末の表示画面の例を示す図（１）である。
【図１５】第１の実施形態に係る端末の表示画面の例を示す図（２）である。
【図１６】第１の実施形態に係る端末の表示画面の例を示す図（３）である。
【図１７】第１の実施形態に係る端末の表示画面の例を示す図（４）である。
【図１８】第１の実施形態に係る端末の表示画面の例を示す図（５）である。
【図１９】第１の実施形態に係る端末の表示画面の例を示す図（６）である。
【図２０】第２の実施形態に係る端末の発信処理の例を示すフローチャートである。
【図２１】第２の実施形態に係る照会処理の例を示すシーケンス図である。
【図２２】第２の実施形態に係る端末の表示画面の例を示す図（１）である。
【図２３】第２の実施形態に係る端末の表示画面の例を示す図（２）である。
【図２４】第２の実施形態に係る端末の表示画面の例を示す図（３）である。
【発明を実施するための形態】
【００１１】
以下、本発明における情報処理端末、情報処理方法及びプログラムの実施例を図面に基づいて説明する。
【００１２】
＜システム構成＞
初めに本実施形態に係る伝送システムのシステム構成について説明する。
【００１３】
図１は、一実施形態に係る伝送システムの概略図である。図２は、一実施形態に係る伝送システムにおける画像データ、音データ及び各種管理情報の送受信の状態を示した概念図である。
【００１４】
伝送システムには、伝送管理装置を介して一方の伝送端末から他方の伝送端末に一方向でコンテンツデータを伝送するデータ提供システムが含まれる。また、伝送システムには、伝送管理装置を介して複数の伝送端末間で情報を相互に伝達するコミュニケーションシステム等が含まれる。
【００１５】
このコミュニケーションシステムは、コミュニケーション管理システム（「伝送管理装置」に相当）を介して複数のコミュニケーション端末（「伝送端末」に相当）間で情報を相互に伝達するためのシステムである。コミュニケーションシステムの例としては、例えば、ビデオ会議システム、テレビ電話システム、音声会議システム、音声電話システム、ＰＣ（Personal Computer）画面共有システム等の遠隔会議が挙げられる。
【００１６】
図１に示す伝送システム１は、複数の伝送端末（１０ａａ、１０ａｂ、・・・）、各伝送端末（１０ａａ、１０ａｂ、・・・）用のディスプレイ（１２０ａａ、１２０ａｂ、・・・）、中継装置３０、伝送管理システム５０、及びプログラム提供装置９０等を含む。
【００１７】
複数の伝送端末（１０ａａ、１０ａｂ、・・・）は、伝送端末間で、例えば、映像データ等のコンテンツデータを送受信（伝送）する。映像データには、例えば、動画データ又は静止画データ、音データ等が含まれる。
【００１８】
なお、以下の説明の中で、「伝送管理システム」を単に「管理システム」として表し、「伝送端末」を単に「端末」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表す。さらにまた、通信の開始を要求する要求元としての端末を「要求元端末」と表し、要求先である宛先（中継先）としての端末は「宛先端末」と表す。
【００１９】
図２に示されているように、伝送システム（通信システム）１において、要求元端末と宛先端末との間では、管理システム５０を介して、各種の管理情報を送受信するための管理情報用セッションｓｅｉが確立される。また、要求元端末と宛先端末との間では、中継装置３０を介して、例えば、画像データ、及び音声データを送受信するための画像・音データ用セッションｓｅｄ（通信セッション）が確立される。
【００２０】
図１に戻り、伝送システム１のシステム構成の説明を続ける。
【００２１】
端末（情報処理端末）１０は、他の端末との間で、各種情報を送受信する。端末１０は、例えば、他の端末１０との間で通信セッション（画像・音声データ用セッションｓｅｄ）を確立し、確立した通信セッションにおいて、音データ、画像データ等を含むコンテンツデータの送受信による通信を行う。これにより、伝送システム１において、例えば、複数の端末１０間のビデオ会議が実現される。
【００２２】
また、本実施形態に係る伝送システム１において、ビデオ会議を開始する場合、開始を希望するユーザが、所定の端末１０を操作することにより、操作された端末１０は、開始要求情報を管理システム５０に送信する。
【００２３】
ここで、開始要求情報とは、ビデオ会議に用いるセッションの開始を要求する情報であって、セッション相手としての端末１０を指定する情報を含む。
【００２４】
なお、宛先端末は、１つの端末１０であってもよく、２以上の端末１０であっても良い。すなわち、伝送システム１においては、２つの端末１０間だけでなく、３つ以上の端末１０間で確立されたセッションを用いたビデオ会議を実現することができる。
【００２５】
さらに、本実施形態に係る伝送システム１においては、既にセッションが確立され、開始しているビデオ会議に、途中から他のユーザが参加することも可能である。参加を希望するユーザが、所定の端末１０を操作することにより、操作された端末１０は、参加を希望するビデオ会議に用いられている、確立中のセッション（以下、確立中セッションと称する）を指定した、参加要求情報を管理システム５０に送信する。なお、以下の説明の中で、参加要求情報を送信する端末１０を「参加要求端末」と表す。
【００２６】
管理システム５０は、端末１０及び中継装置３０を一元的に管理する情報処理装置、又は複数の情報処理装置を含むシステムである。管理システム５０は、端末１０間での通信セッションを確立させることにより、端末１０間における通信によるビデオ会議を実現する。
【００２７】
管理システム５０は、要求元端末から通信セッションの開始要求情報を受信した場合に、要求元端末と宛先端末の間の通信セッションを確立させ、ビデオ会議を開始させる。管理システム５０は、また、所定の端末１０から既に確立しているセッション（以下、確立中セッションと称する）への参加要求情報を受信した場合に、参加要求端末を、確立中セッションに参加させる。
【００２８】
また、図１に示されている複数のルータ（７０ａ、７０ｂ、７０ｃ、７０ｄ、７０ａｂ、７０ｃｄ）は、コンテンツデータの最適な経路の選択を行う。なお、以下の説明の中で、ルータ（７０ａ、７０ｂ、７０ｃ、７０ｄ、７０ａｂ、７０ｃｄ）のうち任意のルータを示す場合には「ルータ７０」を用いる。
【００２９】
中継装置３０は、管理システム５０からの制御に従って、複数の端末１０の間でコンテンツデータの中継を行う。
【００３０】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００３１】
また、プログラム提供装置９０のＨＤには、中継装置３０に各種機能又は各種手段を実現させるための中継装置用プログラムも記憶されており、中継装置３０に、中継装置用プログラムを送信することができる。
【００３２】
さらに、プログラム提供装置９０のＨＤには、管理システム５０に各種機能又は各種手段を実現させるための伝送管理用プログラムも記憶されており、管理システム５０に、伝送管理用プログラムを送信することができる。
【００３３】
また、端末（１０ａａ、１０ａｂ、１０ａｃ、・・・）、及びルータ７０ａは、ＬＡＮ２ａによって通信可能に接続されている。端末（１０ｂａ、１０ｂｂ、１０ｂｃ、・・・）、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３４】
一方、端末（１０ｃａ、１０ｃｂ、１０ｃｃ、・・・）、及びルータ７０ｃは、ＬＡＮ２ｃによって通信可能に接続されている。端末（１０ｄａ、１０ｄｂ、１０ｄｃ、・・・）、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３５】
また、管理システム５０、プログラム提供装置９０、及び中継装置３０は、インターネット２ｉを介して、端末１０と通信可能に接続されている。管理システム５０、中継装置３０、及びプログラム提供装置９０は、地域Ａ又は地域Ｂに設置されていても良いし、これら以外の地域に設置されていても良い。
【００３６】
なお、図１の例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、伝送ネットワーク２が構築されている。この伝送ネットワーク２には、有線だけでなく無線による通信が行われる箇所があっても良い。
【００３７】
また、図１に示す例において、各端末１０、中継装置３０、管理システム５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００３８】
＜ハードウェア構成＞
次に、本実施形態のハードウェアの構成を説明する。
【００３９】
（端末の外観）
図３は、一実施形態に係る端末の一例の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００４０】
図３に示されているように、端末１０は、筐体１１００、アーム１２００、及びカメラハウジング１３００を備える。このうち、筐体１１００の前側壁面１１１０には、複数の吸気孔によって形成された吸気面が設けられており、筐体１１００の後側壁面１１２０には、複数の排気孔が形成された排気面１１２１が設けられている。
【００４１】
これにより、筐体１１００に内蔵された冷却ファンの駆動によって、吸気面を介して端末１０の前方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００４２】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられている。また、操作パネル１１５０には、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００４３】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００４４】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３では、チルト角θ１が９０度の状態を示している。
【００４５】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００４６】
なお、他の例としては、端末１０は、一般の汎用コンピュータ、タブレット端末、スマートホン等の情報端末であっても良い。端末１０として用いる情報端末に、マイクやカメラが備わっていない場合には、外付けのマイク及びカメラをコンピュータに接続させることとする。これにより、情報端末を、本実施形態に係る端末１０として利用することができる。
【００４７】
また、端末１０として情報端末を用いる場合には、当該情報端末に後述する端末１０の処理を実行するためのアプリケーションをインストールしておくこととする。よって、端末１０は、図３に示す端末と一般の情報端末とを含めて情報処理端末とも称する。
【００４８】
なお、中継装置３０、管理システム５０、プログラム提供装置９０、及びメンテナンスシステム１００は、それぞれ一般のサーバ・コンピュータの外観と同じであるため、外観の説明を省略する。
【００４９】
（端末のハードウェア構成）
図４は、一実施形態に係る端末のハードウェア構成の例を示す図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００５０】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００５１】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００５２】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、伝送ネットワーク２を利用して通信するための通信インタフェースである。
【００５３】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００５４】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００５５】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５６】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００５７】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。
【００５８】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００５９】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００６０】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００６１】
（管理システムのハードウェア構成）
図５は、一実施形態に係る管理システムのハードウェア構成図である。管理システム５０は、一般的なコンピュータのハードウェア構成を有しており、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８等を有する。また、管理システム５０は、ネットワークＩ／Ｆ２０９、キーボード２１１、マウス２１２、ＣＤ−ＲＯＭ（Compact Disc）ドライブ２１４、及びバス２１０等を有する。
【００６２】
ＣＰＵ２０１は、例えば、ＲＯＭ２０２、ＨＤ２０４等に格納されたプログラムやデータを読出し、処理を実行することにより、管理システム５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６３】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６４】
ネットワークＩ／Ｆ２０９は、伝送ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００６５】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６６】
なお、上記の管理システム５０のハードウェア構成はあくまで一例である。例えば、ディスプレイ２０８、キーボード２１１、マウス２１２等は、管理システム５０の外部に外付けされているものであっても良い。
【００６７】
また、上記の管理システム５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、上記の管理システム５０用のプログラムは、ＨＤ２０４に記憶するものであっても良いし、予めＲＯＭ２０２に記憶されたもの等であっても良い。
【００６８】
また、中継装置３０は、上記管理システム５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００６９】
さらに、プログラム提供装置９０は、上記管理システム５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７０】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００７１】
＜機能構成＞
図６は、一実施形態に係る端末、及び管理システムの機能構成図である。図６に示すように、端末１０、中継装置３０及び管理システム５０は、伝送ネットワーク２を介して、互いに通信可能に接続されている。なお、図１に示したプログラム提供装置９０は、本実施形態に係る通信に直接関係しないため、図６では図示が省略されている。
【００７２】
《端末の機能構成》
端末１０は、送受信部１１、操作入力受付部１２、通信制御部１３、撮像部１４、音入力部１５、音出力部１６、表示制御部１７、作成部１８、受付部１９、照会部２１、及び記憶・読出部２２等を有する。上記の各部は、例えば、フラッシュメモリ１０４からＲＡＭ１０３上に展開された端末制御プログラムが、ＣＰＵ１０１で実行されることにより実現される機能である。また、端末１０は、ＲＡＭ１０３、フラッシュメモリ１０４等によって構成される記憶部２３を有する。
【００７３】
送受信部（送信部、受信部）１１は、例えば、図４に示されているＣＰＵ１０１で実行されるプログラム、及び図４に示されているネットワークＩ／Ｆ１１１等によって実現され、伝送ネットワーク２を介して他の端末、装置又はシステムと各種データ、情報等の送受信を行う。例えば、送受信部１１は、管理システム５０から、端末１０の通信の宛先の候補となる他の端末１０（以下、候補端末と呼ぶ）を特定する端末情報（例えば宛先識別情報、端末名等）、及び候補端末の稼動状態等を表す状態情報を受信する受信部として機能する。
【００７４】
また、本実施形態に係る送受信部１１は、宛先端末とテレビ会議を開始する前から、管理システム５０により、テレビ会議の接続先の候補としての各端末１０の状態を示す各状態情報の受信を開始する。状態情報は、各端末１０がオンラインかオフラインかの稼動状態を表すだけでなく、オンラインで通信可能であるか、オンラインで通信中であるか等の稼動状態を表す。
【００７５】
操作入力受付部１２は、例えば、図４に示されているＣＰＵ１０１で実行されるプログラム、及び図４に示されている操作ボタン１０８、電源スイッチ１０９等によって実現され、利用者による各種入力を受け付ける。例えば、利用者が、図４に示されている電源スイッチ１０９をオンにすると、図６に示されている操作入力受付部１２が電源オンを受け付けて、電源をオンに制御する。また、操作入力受付部１２は、利用者による発信操作等を、例えば、操作ボタン１０８の押下等により受け付ける。
【００７６】
通信制御部１３は、例えば、図４に示されているＣＰＵ１０１で実行されるプログラムによって実現される。通信制御部１３は、例えば、上記電源オンの受付を契機として、送受信部１１から伝送ネットワーク２を介して管理システム５０に、ログインを要求する旨を示すログイン要求情報、及び要求元端末の現時点のＩＰアドレスを自動的に送信する。また、利用者が電源スイッチ１０９をオンの状態からオフにすると、送受信部１１が管理システム５０へ電源をオフする旨の状態情報を送信した後に、操作入力受付部１２が電源をオフにする。これにより、管理システム５０側では、端末１０が電源オンから電源オフになったことを把握することができる。
【００７７】
また、通信制御部１３は、中継装置３０を介して、他の端末１０とコンテンツデータの送受信を行う通信セッションの確立や、切断等の様々な通信制御を行う。
【００７８】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【００７９】
音入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。
【００８０】
音出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。
【００８１】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、端末１０の通信の候補となる候補端末の一覧である宛先リストを、ディスプレイ１２０等の表示部に選択可能に表示させる。
【００８２】
好ましくは、宛先リストには、候補端末を特定する端末情報（例えば、識別情報、端末名等）と、候補端末の稼動状態を示す状態情報等が含まれる。
【００８３】
作成部１８は、例えば、図４に示されているＣＰＵ１０１で実行されるプログラムによって実現され、送受信部１１が受信した候補端末の情報及び状態情報を含む候補端末の一覧である宛先リストを作成する。
【００８４】
受付部１９は、図４に示されているＣＰＵ１０１で実行されるプログラムによって実現され、通信の宛先となる宛先端末の端末情報（例えば、宛先端末を識別するための識別情報）による通信の開始操作（識別情報の入力）を受付する。
【００８５】
また、送受信部１１は、作成部１８が作成した宛先リストに、受付部１９が受付した宛先端末の端末情報が含まれる場合、宛先端末の状態情報に基づいて、管理システム５０に通信の開始を要求する要求情報（開始要求情報等）を送信する送信部として機能する。
【００８６】
端末１０の稼動状態には、例えば、「オンライン（通信中）」、「オンライン（通信可能）」、及び「オフライン」等の状態がある。稼動状態が「オンライン（通信可能）」とは、端末１０が管理システム５０にログインした状態で、通信（例えばテレビ会議等）を行っていない状態であることを表す。「オンライン（通信中）」とは、端末１０が管理システム５０にログインした状態で、通信を行っている状態であることを表す。稼動状態が「オフライン」とは、端末１０が通信できない状態（例えば、管理システム５０にログインしていない状態）であることを表す。
【００８７】
送受信部１１は、例えば、宛先端末の端末情報に対応する候補端末の状態が「オンライン（通信可能）」（以下、単に「通信可能」と表す）である場合、宛先端末の端末情報に対応する候補端末との通信の開始を要求する開始要求情報を、管理システム５０に送信する。
【００８８】
また、送受信部１１は、例えば、宛先端末の端末情報に対応する候補端末の状態が「オンライン（通信中）」（以下、単に「通信中」と表す）である場合、候補端末が通信中の通信（通信セッション）への参加を要求する参加要求情報を、管理システム５０に送信する。
【００８９】
さらに、送受信部１１は、例えば、宛先端末の端末情報に対応する候補端末の状態が「オフライン」である場合、例えば、管理システム５０に要求情報の送信を中止する。
【００９０】
照会部２１は、図４に示されているＣＰＵ１０１で実行されるプログラムによって実現される。照会部２１は、例えば、作成部１８が作成した宛先リストに、受付部１９が受付した宛先端末の端末情報に対応する候補端末が含まれない場合、受付した端末情報が管理システム５０で利用可能な端末情報であるかを、管理システム５０に照会する。なお、管理システム５０で利用可能な端末情報とは、例えば、管理システム５０に登録されており、通信が許可された端末情報であることを示す。
【００９１】
記憶・読出部２２は、図４に示されているＣＰＵ１０１で実行されるプログラム、及び図４に示されているＳＳＤ１０５等によって実現され、記憶部２３に対する各種データの記憶、記憶部２３に記憶された各種データを読出等の処理を行う。
【００９２】
記憶部２３は、例えば、図４のフラッシュメモリ１０４、ＲＡＭ１０３、及び図４のＣＰＵ１０１で実行されるプログラム等によって実現され、例えば、端末１０の識別するための識別情報、パスワード等の情報を記憶する。
【００９３】
また、記憶部２３は、宛先端末とテレビ会議を行う際に受信される画像データ及び音データの受信バッファ等としても用いられる。
【００９４】
《管理システムの機能構成》
管理システム５０は、送受信部５１、認証部５２、端末管理部５３、端末抽出部５４、端末状態取得部５５、宛先リスト管理部５６、セッション管理部５７、及び記憶・読出部５８等を有する。これら各部は、ＨＤ２０４からＲＡＭ２０３上に展開された伝送管理用プログラムを、ＣＰＵ２０１が実行することによって実現される機能である。また、管理システム５０は、ＨＤ２０４等により構成される記憶部５０００を有する。
【００９５】
ここで、管理システム５０が、記憶部５０００に記憶して管理する情報について説明する。図７、８は、一実施形態に係る管理システムが管理する情報の例を示す図である。
【００９６】
（認証管理テーブル）
図７（ａ）は、認証管理テーブルの一例を示している。記憶部５０００には、例えば、図７（ａ）に示すような認証管理テーブル７０１を含む認証管理ＤＢ５００２が構築されている。認証管理テーブル７０１では、管理システム５０によって管理される各端末１０を識別する識別情報である識別情報に対して、各パスワードが関連付けられて管理される。例えば、図７（ａ）に示した認証管理テーブル７０１は、識別情報「０１ａａ」に対応するパスワードが「ａａａａ」であることを示している。
【００９７】
（宛先リスト管理テーブル）
図７（ｂ）は、宛先リスト管理テーブルの一例を示している。記憶部５０００には、例えば、図７（ｂ）に示すような宛先リスト管理テーブル７０２を含む宛先リスト管理ＤＢ５００４が構築されている。宛先リスト管理テーブル７０２では、要求元端末の識別情報である要求元識別情報と、宛先端末の識別情報である宛先識別情報とが対応付けられて管理されている。ここで、要求元端末とはテレビ会議に利用される通信の開始を要求する要求情報の要求元の端末１０である。また、宛先端末とは、要求元端末が要求情報の宛先とすることのできる端末１０であり、宛先の候補として登録されている端末である。
なお、識別情報には、端末を識別するための端末ＩＤやユーザを識別するためのユーザＩＤ等が含まれる。
【００９８】
例えば、図７（ｂ）の例では、識別情報が「０１ａａ」である端末１０からテレビ会議の開始を要求することのできる宛先端末は、識別情報が「０１ａｂ」、「０１ｂａ」、「０１ｄｂ」、「０１ｄｃ」、「０１ｃａ」、「０１ｃｂ」の端末１０であることが示されている。宛先端末の候補は、例えば、端末１０から管理システム５０に対してなされる要求に応じて、追加又は削除される。
【００９９】
（端末管理テーブル）
図８（ａ）は、端末管理テーブルの一例を示す図である。記憶部５０００には、例えば、図８（ａ）に示すような端末管理テーブル８０１を含む端末管理ＤＢ５００３が構築されている。
【０１００】
端末管理テーブル８０１では、各端末１０の識別情報毎に、各端末１０の宛先名（以下、「端末名」と呼ぶ）と、各端末１０の稼動状態と、受信日時と、端末１０のＩＰアドレスとが関連付けられて管理されている。受信日時は、伝送システム１にログインするためのログイン要求情報を管理システム５０が受信した日時である。
【０１０１】
例えば、図８（ａ）に示した端末管理テーブル８０１は、識別情報が「０１ａａ」の端末１０に対して、端末名が「日本  東京事業所  ＡＡ端末」で、稼動状態が「オンライン（通信中）」であることを示している。また、端末管理テーブル８０１は、管理システム５０でログイン要求情報が受信された日時が「２０ｘｘ年１１月１０日の１３時４０分」で、端末１０のＩＰアドレスが「１．２．１．３」であることを表している。
【０１０２】
ここで、端末管理テーブル８０１の識別情報は、端末１０が伝送システム１に登録されるときに、ユニークに割り当てられ、端末名は、管理システム５０の管理者によって登録又は変更される。なお、端末名は、端末１０から管理システム５０に対してなされる要求に応じて、登録又は変更されても良い。
【０１０３】
（セッション管理テーブル）
管理システム５０の記憶部５０００に記憶されたセッション管理ＤＢ５００５には、例えば、図８（ｂ）に示されているようなセッション管理テーブル８０２が含まれる。セッション管理テーブル８０２には、通信セッションの識別情報であるセッションＩＤ毎に、中継装置３０を識別する識別情報である中継装置ＩＤ、要求元識別情報、宛先識別情報、及び参加識別情報等の情報が記憶されている。
【０１０４】
なお、要求元識別情報は、テレビ会議等の通信セッションの開始を要求する要求元端末の識別情報であり、宛先識別情報は、宛先端末の識別情報である。また、参加識別情報は、開催中のテレビ会議等の通信セッション（確立中セッション）に参加を要求する１つ以上の参加要求端末の識別情報である。
【０１０５】
例えば、図８（ｂ）に示されているセッション管理テーブル８０２において、セッションＩＤ「ｓｅ１」のセッションには、識別情報「０１ａａ」の端末、識別情報「０１ｄｂ」の端末、及び識別情報「０１ｄｃ」の端末が参加していることが示されている。
【０１０６】
ここで、図６に戻り、管理システム５０の機能構成の説明を続ける。
【０１０７】
送受信部５１は、例えば、図５のネットワークＩ／Ｆ２０９、及び図５のＣＰＵ２０１で実行されるプログラム等によって実現され、伝送ネットワーク２を介して他の端末１０又は装置と各種データや情報の送受信を行う。
【０１０８】
送受信部５１は、端末１０に対して、端末１０の通信の宛先の候補となる候補端末の情報、及び候補端末の稼動状態等を表す状態情報を送信する。また、送受信部５１は、候補端末の稼動状態が変更された場合には、その都度、最新の状態情報を端末１０に送信する。
【０１０９】
認証部５２は、例えば、図５のＣＰＵ２０１で実行されるプログラムによって実現される。認証部５２は、送受信部５１を介して受信されたログイン要求情報に含まれている識別情報及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている識別情報及びパスワードが管理されているかを判断することによって端末１０の認証を行う。
【０１１０】
端末管理部５３は、例えば、図５のＣＰＵ２０１で実行されるプログラムによって実現される。端末管理部５３は、管理システム５０にログインしている端末１０の稼動状態を管理する。端末管理部５３は、例えば、要求元端末の識別情報に対して、稼動状態、管理システム５０でログイン要求情報が受信された受信日時及びＩＰアドレスを関連付けて端末管理ＤＢ５００３に含まれる端末管理テーブル８０１に記憶して、管理する。例えば、利用者が端末１０の電源スイッチ１０９の状態をオンからオフにする。このとき、端末管理部５３は、端末１０から送られてきた、電源をオフする旨の状態情報に基づいて、端末管理テーブル８０１における端末１０の稼動状態をオンラインからオフラインに変更する。
【０１１１】
端末抽出部５４は、例えば、図５のＣＰＵ２０１で実行されるプログラムによって実現される。端末抽出部５４は、ログイン要求した要求元端末の識別情報を検索キーとして、宛先リスト管理ＤＢ５００４に含まれる宛先リスト管理テーブル７０２を検索し、要求元端末に対する宛先端末の候補の識別情報を抽出する。
【０１１２】
また、端末抽出部５４は、ログイン要求してきた要求元端末の識別情報を検索キーとして、宛先リスト管理テーブル７０２を検索し、要求元端末の識別情報を宛先端末の候補として登録している他の要求元端末の識別情報も抽出する。
【０１１３】
端末状態取得部５５は、例えば、図５のＣＰＵ２０１で実行されるプログラムによって実現される。端末状態取得部５５は、端末抽出部５４によって抽出された宛先端末の候補の識別情報を検索キーとして、端末管理ＤＢ５００３に含まれる端末管理テーブル８０１を検索し、検出された識別情報毎に稼動状態を読み出す。
【０１１４】
これにより、端末状態取得部５５は、ログイン要求してきた要求元端末に対する宛先端末の候補の稼動状態を取得することができる。また、端末状態取得部５５は、端末抽出部５４によって抽出された識別情報を検索キーとして、端末管理ＤＢ５００３を検索し、ログイン要求してきた要求元端末の稼動状態も取得する。
【０１１５】
宛先リスト管理部５６は、例えば、図５のＣＰＵ２０１で実行されるプログラムによって実現され、宛先リスト管理ＤＢ５００４に記憶された、例えば、図７（ｂ）に示すような宛先リスト管理テーブル７０２を管理する。例えば、宛先リスト管理部５６は、端末１０から受信した宛先リストへの登録要求に応じて、宛先識別情報を登録する。また、宛先リスト管理部５６は、端末１０から受信した宛先リストからの削除要求に応じて、宛先識別情報を削除する。
【０１１６】
セッション管理部５７は、例えば、図５のＣＰＵ２０１で実行されるプログラムによって実現され、伝送システム１において、複数の端末１０の間でコンテンツデータの送受信を行う通信（通信セッション）を管理する。例えば、セッション管理部５７は、通信セッションを開始する際に、通信セッションを識別するための識別情報であるセッションＩＤを生成する。また、セッション管理部５７は、生成したセッションＩＤに対応付けて、通信セッションに参加する端末１０の識別情報、中継装置３０の中継装置ＩＤ等の情報を、セッション管理ＤＢ５００５に含まれるセッション管理テーブル８０２に記憶して、管理する。
【０１１７】
記憶・読出部５８は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１１８】
（中継装置）
中継装置３０は、複数の端末間で開催されるテレビ会議において、端末間で行われるコンテンツデータの送受信を中継する。例えば、中継装置３０は、管理システム５０から通知されるセッションＩＤに基づいて、同じセッションＩＤを有する端末１０を、同じセッションに参加させる。これにより、同じセッションＩＤを有する端末１０間で、中継装置３０を介して、コンテンツデータの送受信を行うことができるようになる。
【０１１９】
＜伝送システムの処理の流れ＞
続いて、伝送システム（通信システム）１による通信方法の処理の流れについて説明する。
【０１２０】
（準備段階の処理）
図９は、一実施形態に係る準備段階の処理の例を示すシーケンス図である。この処理は、伝送システム１において、端末１０ａａが、テレビ会議に参加可能な準備状態になるまでの準備段階の処理の例を示している。
【０１２１】
なお、図９において、例えば、図２で説明した管理情報用セッションｓｅｉを用いて、各情報の送受信が行われるものとする。また、図９において、端末１０ａａの識別情報が「０１ａａ」、端末１０ｂａの識別情報が「０１ｂａ」、端末１０ｄｂの識別情報が「０１ｄｂ」であるものとして、以下の説明を行う。
【０１２２】
ステップＳ２１で、端末１０ａａの利用者が、端末１０ａａの電源スイッチ１０９をオンにすると、操作入力受付部１２が電源オンを受け付けて、端末１０ａａの電源をオンに制御する。
【０１２３】
ステップＳ２２で、通信制御部１３は、電源オンの受付を契機として、端末１０ａａの送受信部１１から伝送ネットワーク２を介して管理システム５０にログインを要求するログイン要求情報を送信する。このログイン要求情報には、ログイン要求元の端末１０ａａを識別するための要求元識別情報及びパスワードが含まれている。この要求元識別情報及びパスワードは、記憶・読出部２２を介して、記憶部２３から読み出される。
【０１２４】
なお、端末１０ａａから送信されたログイン要求情報が管理システム５０に受信されたときには、管理システム５０は、送信側である端末１０ａａのＩＰアドレスを把握することができる。
【０１２５】
ステップＳ２３で、管理システム５０の認証部５２は、送受信部５１を介して受信したログイン要求情報に含まれている識別情報及びパスワードを検索キーとして、端末認証を行う。認証部５２は、記憶部５０００の認証管理ＤＢ５００２に含まれる認証管理テーブル７０１を検索し、認証管理ＤＢ５００２に検索キーと同一の識別情報及びパスワードが管理されているかを判断することによって端末認証を行う。
【０１２６】
ここで、認証部５２によって、検索キーと同一の識別情報及びパスワードが管理されていないと判断された場合、すなわち、正当な利用権限を有する端末１０からのログイン要求でないと判断されたとする。このとき、送受信部５１は、認証部５２によって得られた認証結果を表す認証結果情報をログイン要求してきた端末１０ａａに伝送ネットワーク２を介して送信し、準備段階の動作は終了する。
【０１２７】
一方、認証部５２によって、検索キーと同一の識別情報及びパスワードが管理されていると判断された場合、すなわち、正当な利用権限を有する端末１０からのログイン要求であると判断されたとする。このとき、ステップＳ２４において、端末管理部５３は、端末管理ＤＢ５００３含まれる端末管理テーブル８０１に、端末１０ａａの識別情報、端末１０ａａのＩＰアドレス、稼動状態、受信日時などを関連付けて記憶する。
【０１２８】
これにより、端末管理テーブル８０１は、識別情報「０１ａａ」、端末１０ａａのＩＰアドレス「１．２．１．３」、稼動状態「オンライン（通信中）」、受信日時「２０ｘｘ．１１．１０  １３：４０（年／月／日  時間）」を関連付けて管理することができる。なお、端末管理テーブル８０１には、識別情報、ＩＰアドレスなどが予め関連付けられており、稼動状態、受信日時及び参加者がその都度関連付けられるようにしても良い。
【０１２９】
ステップＳ２５で、管理システム５０の送受信部５１は、認証部５２によって得られた認証結果を表す認証結果情報をログイン要求してきた端末１０ａａに伝送ネットワーク２を介して送信する。
【０１３０】
ステップＳ２６で、管理システム５０の端末抽出部５４は、端末１０ａａの識別情報「０１ａａ」を検索キーとして、宛先リスト管理ＤＢ５００４に含まれる宛先リスト管理テーブル７０２を検索し、端末１０ａａに対する宛先端末の候補の識別情報を抽出する。
【０１３１】
ここでは、端末１０ａａの識別情報「０１ａａ」に対する宛先端末である端末１０ａｂ、１０ｂａ、１０ｄｂ、１０ｄｃ、１０ｃａ、１０ｃｂのそれぞれの識別情報「０１ａｂ」、「０１ｂａ」、「０１ｄｂ」、「０１ｄｃ」、「０１ｃａ」、「０１ｃｂ」が抽出される。
【０１３２】
ステップＳ２７で、管理システム５０の端末状態取得部５５は、端末抽出部５４によって抽出された宛先端末の候補の識別情報「０１ａｂ」、「０１ｂａ」、「０１ｄｂ」、「０１ｄｃ」、「０１ｃａ」、「０１ｃｂ」を検索キーとする。端末状態取得部５５は、検索キーを用いて端末管理ＤＢ５００３に含まれる端末管理テーブル８０１を検索し、端末抽出部５４によって抽出された識別情報毎に稼動状態「オフライン」、「オンライン（通信可能）」、「オンライン（通信中）」を読み出す。これにより、端末１０ａｂ、１０ｂａ、１０ｄｂ、１０ｄｃ、１０ｃａ、１０ｃｂの各稼動状態が取得できる。なお、端末状態取得部５５は、端末管理ＤＢ５００３を監視し、端末の稼動状態が変わる度に、各稼動状態を取得する。
【０１３３】
ステップＳ２８で、管理システム５０の送受信部５１は、伝送ネットワーク２を介して端末１０ａａに宛先状態情報を送信する。この宛先状態情報には、例えば、ステップＳ２７で使用された検索キーとしての識別情報「０１ａｂ」、「０１ｂａ」、「０１ｄｂ」、「０１ｄｃ」、「０１ｃａ」、「０１ｃｂ」、各端末１０の稼動状態を示す状態情報等が含まれる。
【０１３４】
これにより、端末１０ａａは、宛先端末の候補である端末１０ａｂ、１０ｂａ、１０ｄｂ、１０ｄｃ、１０ｃａ、１０ｃｂの現時点のそれぞれの稼動状態「オフライン」、「オンライン（通信可能）」、「オンライン（通信中）」を把握することができる。
【０１３５】
ステップＳ２９で、管理システム５０の端末抽出部５４は、ログイン要求してきた端末１０ａａの識別情報「０１ａａ」を検索キーとする。端末抽出部５４は、検索キーを用いて宛先リスト管理ＤＢ５００４に含まれる宛先リスト管理テーブル７０２を検索し、端末１０ａａの識別情報「０１ａａ」を宛先端末の候補として登録している他の端末の識別情報を抽出する。例えば、図７（ｂ）に示した宛先リスト管理テーブルでは、抽出される識別情報は、「０１ａｂ」、「０１ｂａ」、「０１ｄｂ」である。
【０１３６】
ステップＳ３０で、管理システム５０の端末管理部５３は、ログイン要求してきた端末１０ａａの識別情報「０１ａａ」を検索キーとする。端末管理部５３は、検索キーを用いて端末管理ＤＢ５００３に含まれる端末管理テーブル８０１を検索し、ログイン要求してきた端末１０ａａの稼動状態「オンライン（通信可能）」を取得する。
【０１３７】
ステップＳ３１−１，Ｓ３１−２で、管理システム５０の送受信部５１は、ステップＳ２９で抽出された識別情報のうち、例えば、図８（ａ）に示す端末管理テーブル８０１で、稼動状態がオンラインとなっている識別情報を抽出する。また、送受信部５１は、特定された識別情報に対応する端末１０（例えば、端末１０ｂａ、端末１０ｄｂ）に、要求元端末（端末１０ａａ）の識別情報と、稼動状態「オンライン（通信可能）」とを含む状態情報を送信する。
【０１３８】
なお、端末１０ｂａ、１０ｄｂに状態情報を送信するときには、送受信部５１は、各識別情報「０１ｂａ」、「０１ｄｂ」に基づいて、端末管理テーブル８０１で管理されている各端末のＩＰアドレスを参照する。
【０１３９】
これにより、ログイン要求してきた端末１０ａａを宛先端末として指定して伝送することができる端末１０ｄｂ、１０ｂａに、ログイン要求してきた端末１０ａａの識別情報「０１ａａ」及び稼動状態「オンライン（通信可能）」を伝えることができる。
【０１４０】
上記の処理により、端末１０の作成部１８は、宛先リストの作成に必要な候補端末の情報（識別情報、端末名、稼動状態等）、及び候補端末の稼動状態を示す状態情報等を取得し、取得した情報を用いて宛先リストを作成する。
【０１４１】
端末１０の表示制御部１７は、宛先リストが作成されると、作成された宛先リストを端末１０の表示部（例えばディスプレイ１２０等）に表示させる。このとき、表示部に表示される宛先リストの例を図１０に示す。
【０１４２】
図１０は、一実施形態に係る宛先リストの例を示す図である。図１０の例では、表示部１０００に表示された宛先リスト１００１には、通信の宛先となる宛先端末を選択するための複数の選択ボタン１００２が表示されている。また、各選択ボタン１００２には、状態情報を反映させたアイコン１００２ａ〜１００２ｃ、宛先端末の識別情報１００３、端末名１００４等が含まれる。なお、宛先端末の識別情報１００３及び端末名１００４は、宛先端末の端末情報の一例である。
【０１４３】
アイコンには、例えば、「通信可能」状態であることを示す通信可能アイコン１００２ａ、「通信中」であることを示す通信中アイコン１００２ｂ、及びオフラインで通信できないことを示すオフラインアイコン１００２ｃ等がある。作成部１８は、宛先端末の稼動状態が「オンライン（通信可能）」である場合には、その宛先端末に対し、通信可能アイコン１００２ａを割り当てる。また、作成部１８は、宛先端末の稼動状態が「オンライン（通信中）」である場合には、その宛先端末に対し、通信中アイコン１００２ｂを割り当てる。さらに、作成部１８は、宛先端末の稼動状態が「オフライン」である場合には、この宛先端末に対し、オフラインアイコン１００２ｃを割り当てる。
【０１４４】
また、図１０に示す宛先リスト１００１では、例えば、１番上に表示されている識別情報「０１ｂａ」の端末１０ｂａの選択ボタン１００２にフォーカスがあてられており、端末１０ｂａの選択ボタン１３１１が、太枠（表示要素の一例）で表示されている。
【０１４５】
なお、フォーカスとは、例えば、コンピュータ等の操作画面で、表示要素等が選択され、入力可能な状態にあることを示す。本実施形態では、フォーカスをあてるとは、表示制御部１７が表示させる宛先リスト１００１において、通信の宛先として選択されている宛先を、例えば、太枠、反転表示、カーソル等の表示要素により、判別可能に表示することを示すものとする。従って、端末１０は、利用者による通信の開始を指示する発信操作を受け付けると、宛先リストにおいて、フォーカスがあてられている宛先への発信処理を開始する。なお、フォーカスは、宛先リストにおいて、通信の宛先として選択されている宛先識別情報を判別可能に表示する方法の一例である。選択されている宛先識別情報を判別可能に表示する方法は、フォーカスに限られず、色を変えること、太字にすること、点滅表示すること等により、選択されている宛先識別情報を他の識別情報と判別できるように表示するものであっても良い。
【０１４６】
また、判別可能に表示する（強調して表示する）とは受付した識別情報がリストにあることが分かるように表示すればよく、例えば識別情報自体を判別可能に表示するだけでなく、「リストにあります」等のメッセージを表示することで判別可能としても良い。
【０１４７】
（通信処理）
図１１は、一実施形態に係る通信処理の例を示すシーケンス図である。この処理は、端末１０ａａから、宛先リストを用いて、端末１０ｄｂに対して発信し、コンテンツデータの通信を開始する場合の処理の例を示している。なお、図１１において、図２に示されている管理情報用セッションｓｅｉによって、各端末１０と管理システム５０との間で各種管理情報が送受信されるものとする。
【０１４８】
ステップＳ１１０１において、端末１０ａａの操作入力受付部１２は、利用者による宛先端末（端末１０ｄｂ）の選択操作を受付する。例えば、端末１０ａａの操作入力受付部１２は、図１０に示すような宛先リスト１００１において、利用者による識別情報「０１ｄｂ」の端末１０ｄｂに対応する選択ボタンの選択を受付する。
【０１４９】
ステップＳ１１０２において、端末１０ａａの通信制御部１３は、操作入力受付部１２が受付した宛先端末の選択操作に応じて、管理システム５０に通信セッションの開始を要求する開始要求情報を送信する。この開始要求情報には、例えば、要求元端末である端末１０ａａの識別情報である要求元識別情報、宛先端末である端末１０ｄｂの識別情報である宛先識別情報等が含まれる。また、開始要求情報には、端末１０ａａのＩＰアドレス（要求元ＩＰアドレス）も含まれる。
【０１５０】
ステップＳ１１０３において、端末１０ａａから開始要求情報を受信した管理システム５０の端末管理部５３は、開始要求情報に含まれる要求元識別情報に基づいて、端末管理ＤＢ５００３に含まれる端末管理テーブル８０１を更新する。例えば、端末管理部５３は、端末１０ａａの識別情報「０１ａａ」に対応する稼動状態の情報を「オンライン（通信中）」に変更し、受信日時の情報を更新する。
【０１５１】
ステップＳ１１０４において、管理システム５０のセッション管理部５７は、宛先端末である端末１０ｄｂにセッションの開始を要求する開始要求情報を送信する。この開始要求情報には、例えば、要求元端末である端末１０ａａの要求元識別情報等が含まれる。
【０１５２】
ステップＳ１１０５において、管理システム５０から開始要求情報を受信した端末１０ｄｂは、例えば、端末１０ｄｂの利用者による応答操作等に応じて、管理システム５０に受信完了情報を送信する。この受信完了情報には、例えば、端末１０ｄｂの識別情報である宛先識別情報が含まれる。なお、受信完了情報は、端末１０ｄｂによって自動的に送信されるもの等であっても良い。
【０１５３】
ステップＳ１１０６において、端末１０ｄｂから受信完了情報を受信した管理システム５０の端末管理部５３は、受信完了情報に含まれる端末１０ｄｂの識別情報に基づいて、端末管理ＤＢ５００３に含まれる端末管理テーブル８０１を更新する。例えば、端末管理部５３は、端末１０ｄｂの識別情報「０１ｄｂ」に対応する稼動状態の情報を「オンライン（通信中）」に変更し、受信日時の情報を更新する。
【０１５４】
ステップＳ１１０７において、管理システム５０のセッション管理部５７は、通信セッションを識別するための識別情報であるセッションＩＤを作成する。また、セッション管理部５７は、作成されたセッションＩＤに対応付けて、中継装置３０の中継装置ＩＤ、要求元識別情報、及び宛先識別情報を、セッション管理ＤＢ５００５に含まれるセッション管理テーブル８０２に記憶する。
【０１５５】
ステップＳ１１０８おいて、管理システム５０のセッション管理部５７は、中継装置３０に、通信セッションの中継の開始を要求する中継開始要求情報を送信する。この中継開始要求情報には、例えば、ステップＳ１１０７で作成されたセッションＩＤ、及び要求元端末のＩＰアドレス、宛先端末のＩＰアドレス等が含まれる。
【０１５６】
ステップＳ１１０９、Ｓ１１１０において、管理システム５０のセッション管理部５７は、端末１０ａａ、１０ｄｂにセッションの開始を指示する開始指示情報を送信する。この開始指示情報には、例えば、ステップＳ１１０７で作成されたセッションＩＤ、及び中継装置３０のＩＰアドレス等が含まれる。
【０１５７】
ステップＳ１１１１において、端末１０ａａの通信制御部１３は、管理システム５０から受信した開始指示情報を用いて、中継装置３０と通信セッション（セッションｓｅｄ）を確立する。
【０１５８】
ステップＳ１１１２において、端末１０ｄｂの通信制御部１３は、管理システム５０から受信した開始指示情報を用いて、中継装置３０と通信セッション（セッションｓｅｄ）を確立する。
【０１５９】
上記の処理により、端末１０ａａ、１０ｄｂは、中継装置３０を介して、同じ通信セッションに参加し、コンテンツデータを互いに伝送することができるようになる、例えば、テレビ会議等を行うことができるようになる。
【０１６０】
ステップＳ１１１３、Ｓ１１１４において、管理システム５０の端末管理部５３は、端末１０の状態が変更されたことを通知する端末状態変更情報を、端末管理ＤＢ５００３に登録されている各端末１０に送信する。図１０の例では、端末状態変更情報には、端末状態が変更された端末１０ａａ、１０ｄｂの識別情報、及び端末１０ａａ、１０ｄｂの稼動状態を示す状態情報等が含まれる。なお、状態情報には、各端末１０が参加しているセッションのセッションＩＤ等が含まれていても良い。
【０１６１】
［第１の実施形態］
続いて、第１の実施形態に係る通信方法の処理の流れについて説明する。図１１に示す通信処理では、利用者は、例えば、図１０に示すような宛先リスト１００１から、通信の宛先となる宛先端末を選択し、発信を行うものとして説明を行った。
【０１６２】
しかし、例えば、宛先リスト１００１に登録されている宛先端末の数が多くなると、利用者が、通信を行いたい宛先端末を宛先リスト１００１から選択するために、より多くの時間を要するようになる。また、利用者は、通信を行いたい宛先端末が宛先リスト１００１に登録されているかを知らない場合には、宛先リスト１００１に登録されているか否かを判断するだけでも、より多くの時間を要するようになる。
【０１６３】
そこで、本実施形態に係る端末１０では、通信の宛先となる宛先端末の端末情報（例えば、識別情報）を用いて、宛先リスト１００１に登録されている宛先端末に対する通信の開始操作（発信操作）を行うことができるようにする。
【０１６４】
これにより、本実施形態に係る端末１０は、宛先リストを用いて通信先の端末１０と通信を開始する伝送システム（通信システム）１において、宛先リストに登録された端末１０に発信するために要する時間を短縮することができるようになる。
【０１６５】
（端末の発信処理）
図１２は、第１の実施形態に係る端末の発信処理の例を示すフローチャートである。
【０１６６】
ステップＳ１２０１において、端末１０は、図１０に示すような宛先リスト１００１を表示している状態で、利用者による所定の操作を受付すると、受付部１９により、例えば、図１３に示すような識別情報による発信画面１３０１を表示部１０００に表示させる。
【０１６７】
図１３の例では、端末１０の表示部１０００に表示された宛先リスト１００１の前面に、識別情報による発信画面１３０１がポップアップで表示されている。また、識別情報による発信画面１３０１には、識別情報の入力欄１３０２、識別情報入力用のソフトウェアキーボード１３０３、「発信」ボタン１３０４、「キャンセル」ボタン等が含まれている。
【０１６８】
利用者は、ソフトウェアキーボード１３０３を用いて、識別情報の入力欄１３０２に通信を行いたい宛先端末の識別情報を入力し、「発信」ボタン１３０４を選択することにより、宛先端末への発信操作を行うことができる。
【０１６９】
図１２のステップＳ１２０２において、端末１０の受付部１９は、例えば、図１３に示すような識別情報による発信画面１３０１を用いて、利用者の識別情報による発信操作を受付する。
【０１７０】
ステップＳ１２０３において、端末１０の受付部１９は、受付した識別情報（宛先端末の端末情報）が、作成部１８が作成した宛先リスト（又は表示制御部１７が表示部１０００に表示している宛先リスト１００１）に存在するか（含まれているか）を判断する。
【０１７１】
なお、ステップＳ１２０３においては、端末１０が受付した識別情報が、宛先リストに存在するか（含まれているか）を判断する場合の例を示しているが、受付した識別情報を管理システム５０に送信し、受付した識別情報が宛先リストに存在するか（含まれている化）を管理システム５０が判断することもできる。
【０１７２】
受付した識別情報が宛先リストに存在しない場合（受付けた識別情報が宛先識別情報でない場合）、端末１０の受付部１９は、処理をステップＳ１２０４に移行させる。一方、受付した識別情報が宛先リストに存在する場合（受付けた識別情報が宛先識別情報である場合）、端末１０の受付部１９は、処理をステップＳ１２０５に移行させる。
【０１７３】
ステップＳ１２０４に移行すると、端末１０の表示制御部１７は、例えば、図１４に示すような、受付した識別情報が宛先リストに存在しないことを示すダイアログ（表示画面の一例）１４０１を、表示部１０００に表示させる。
【０１７４】
図１４の例では、ダイアログ１４０１には、発信できなかったことを示すメッセージ１４０２、指定された端末１０が宛先リストに存在しないことを示すメッセージ１４０３、及び指定された識別情報１４０４の情報等が含まれる。このダイアログ１４０１により、利用者は、通信を行いたい端末１０が、宛先リストに登録されていないことを迅速、かつ容易に判断することができるようになる。利用者は、ダイアログ１４０１の「ＯＫ」ボタン１４０５を選択することにより、ダイアログ１４０１の表示を終了させることができる。
【０１７５】
図１２のステップＳ１２０５に移行すると、端末１０の表示制御部１７は、表示部１０００に表示している宛先リスト１００１において、受付した識別情報に対応する宛先端末を選択するための選択ボタンにフォーカスをあてる。なお、前述したように、フォーカスは、宛先リストにおいて、通信の宛先として選択されている宛先識別情報を判別可能に表示する（強調して表示する）方法の一例である。
また、判別可能に表示する（強調して表示する）とは受付した識別情報がリストにあることが分かるように表示すればよく、例えば識別情報自体を判別可能に表示するだけでなく、「リストにあります」等のメッセージを表示することで判別可能としても良い。
【０１７６】
この処理により、表示部１０００に表示された宛先リスト１００１の中から、ステップＳ１２０２で受付した識別情報に対応する宛先端末が自動的に選択され、発信可能な状態で表示される。これにより、利用者は、例えば、再発信等の操作を容易に行うことができるようになる。なお、この処理（ステップＳ１２０５）は、好適な一例であり必須ではない。
【０１７７】
本実施形態では、端末１０の送受信部１１は、受付した識別情報が宛先リストに含まれると判断された場合、管理システム５０から送受信部１１が受信した候補端末の状態情報に基づいて、ステップＳ１２０６〜Ｓ１２１２に示す要求処理１２２０を実行する。
【０１７８】
ステップＳ１２０６において、端末１０の送受信部１１は、受付した識別情報の候補端末の稼動状態が「オンライン」状態であるか否かを判断する。受付した識別情報の候補端末の稼動状態が「オンライン」状態でない場合、送受信部１１は、処理をステップＳ１２０７に移行させる。一方、受付した識別情報の候補端末の稼動状態が「オンライン」状態である場合、送受信部１１は、処理をステップＳ１２０８に移行させる。
【０１７９】
ステップＳ１２０７に移行すると、端末１０の表示制御部１２０７は、例えば、図１５に示すような、受付した識別情報の候補端末がオフラインであることを示すダイアログ（表示画面の一例）１５０１を、表示部１０００に表示させる。
【０１８０】
図１５の例では、ダイアログ１５０１には、発信できなかったことを示すメッセージ１５０２、受付した識別情報に対応する端末１０がオフラインであることを示すメッセージ１５０３、受付した識別情報に対応する端末１０の情報１５０４等が含まれる。このダイアログ１５０１により、利用者は、通信を行いたい宛先端末がオフラインであること、及び宛先端末の端末名等を判断することができるようになる。
【０１８１】
また、図１５の例では、表示部１０００に表示された宛先リスト１００１において、受付した識別情報「０１ａｂ」に対応する候補端末を選択するためのボタン１５０５にフォーカスがあてられている。これにより、例えば、識別情報「０１ａｂ」に対応する候補端末がオンラインになった場合、候補端末がオンラインになったことを容易に判断し、再発信することができるようになる。
【０１８２】
図１２のステップＳ１２０８に移行すると、端末１０の送受信部１１は、受付した識別情報の候補端末が会議中であるか否かを判断する。例えば、送受信部１１は、受付した識別情報の候補端末の稼動状態が「通信中」である場合は会議中であると判断し、「通信可能」である場合は会議中でないと判断する。
【０１８３】
受付した識別情報の候補端末が会議中であると判断された場合、すなわち、稼動状態が「通信中」である場合、送受信部１１は、処理をステップＳ１２０９に移行させる。一方、受付した識別情報の候補端末が会議中でないと判断された場合、すなわち、稼動状態が「通信可能」である場合、送受信部１１は、処理をステップＳ１２１１に移行させる。
【０１８４】
ステップＳ１２０９に移行すると、端末１０の送受信部１１は、受付した識別情報の候補端末が会議中の会議（通信セッション）への参加を要求する参加要求情報を、例えば、通信制御部１３を介して、管理システム５０に送信する。
【０１８５】
ステップＳ１２１０において、端末１０の表示制御部１７は、例えば、図１６に示すような、会議準備画面（通信準備画面）１６０１を表示部１０００に表示させる。
【０１８６】
図１６の例では、会議準備画面１６０１には、会議開始の準備中であることを示すメッセージ１６０２が表示されている。このように、端末１０は、管理システム５０に参加要求情報を送信すると、例えば、利用者の確認なしに会議の準備を開始する。この会議準備画面１６０１は、例えば、宛先端末との間の通信セッションが確立するまでの間表示される。従って、端末１０は、直ちに通信セッションが確立された場合には、図１６に示す会議準備画面１６０１の表示を省略して、会議画面（通信画面）を表示部１０００に表示するものであっても良い。
【０１８７】
ステップＳ１２１１に移行すると、端末１０の送受信部１１は、受付した識別情報の候補端末との通信の開始を要求する開始要求情報を、例えば、通信制御部１３を介して、管理システム５０に送信する。これにより、例えば、図１１に示すような通信処理が実行される。
【０１８８】
ステップＳ１２１２において、端末１０の表示制御部１７は、例えば、図１７に示すような、発信中であることを示すダイアログ（表示画面の一例）１７０１を表示部１０００に表示させる。
【０１８９】
図１７の例では、ダイアログ１７０１には、発信中であることを示すメッセージ１７０２、受付した識別情報に対応する端末１０の情報１７０３等が含まれる。このダイアログ１５０１により、利用者は、宛先端末に発信中であること、及び識別情報に対応する端末１０の情報（例えば端末名）等を判断することができる。
【０１９０】
また、図１７の例では、表示部１０００に表示された宛先リスト１００１において、受付した識別情報「０１ｄｂ」に対応する候補端末を選択するためのボタン１７０５にフォーカスがあてられている。これにより、利用者は、例えば、一時的に会議を退出した後や、意図せずに通信が切断されてしまった場合等に、識別情報「０１ｄｂ」に対応する候補端末に容易に再発信することができるようになる。
【０１９１】
ステップＳ１２１３において、端末１０の表示制御部１７は、宛先端末との通信セッションが確立されると、例えば、図１８に示すような会議画面（通信画面）１８０１を、表示部１０００に表示させる。
【０１９２】
図１８の例では、会議画面１８０１には、宛先端末から受信した他の拠点の会議画像１８０２、及び端末１０の撮像部１４が撮像した自拠点の会議画像１８０３等が表示されている。なお、図１８に示す会議画面１８０１は、通信セッションで通信する映像データ（コンテンツデータ）の一例である。
【０１９３】
また、端末１０の表示制御部１７は、宛先端末との通信が終了すると、例えば、図１９（ａ）に示すような宛先リスト１００１を、表示部１０００に再び表示させる。図１９に示す宛先リスト１００１では、通信を行った宛先端末を選択するための選択ボタンが選択され、フォーカスがあてられていることが、太枠１９０１で表示されている。なお、太枠１９０１は、選択ボタンが選択されていることを示す表示要素の一例である。選択ボタンが選択されていることを示す表示要素は、例えば、図１０（ｂ）に示すブロック矢印等の他の表示要素であっても良い。
【０１９４】
このように、本実施形態に係る端末１０は、識別情報による通信の開始操作を受付し、宛先リストに受付した識別情報に対応する候補端末が含まれる場合、候補端末の状態情報に基づいて管理システム５０に通信の開始を要求する要求情報を送信する。
【０１９５】
これにより、本実施形態に係る端末１０によれば、利用者は宛先リストの中から通信を行う宛先端末を選択する操作を省略することができるので、端末１０を用いて他の端末と迅速に通信を開始することができるようになる。
【０１９６】
また、本実施形態に係る端末１０は、予め取得した候補端末の状態情報に基づいて宛先端末が通信できる状態（「通信可能」状態、又は「通信中」状態）である場合に、管理システム５０に通信の開始を要求する。これにより、例えば、端末１０の台数が増加した場合でも、管理システム５０や伝送ネットワーク２の負荷を軽減させることができる。
【０１９７】
さらに、本実施形態に係る端末１０は、宛先リスト１００１に受付した識別情報に対応する候補端末が含まれる場合、宛先リスト１００１の受付した識別情報に対応する候補端末を選択するための選択ボタンにフォーカスをあてて表示する。これにより、利用者は、端末１０から宛先端末に、迅速、かつ容易に再発信することができるようになる。
【０１９８】
［第２の実施形態］
第２の実施形態では、端末１０による発信処理の別の一例について説明する。
【０１９９】
図２０は、第２の実施形態に係る端末の発信処理の例を示す図である。なお図２０のステップＳ１２０１〜Ｓ１２１３の処理は、図１２に示す第１の実施形態に係る端末の発信処理と同様なので、ここでは第１の実施形態との相違点を中心に説明を行う。
【０２００】
ステップＳ２００１において、端末１０の受付部１９は、ステップＳ１２０２で受付した識別情報が自装置の識別情報であるかを判断する。
【０２０１】
受付した識別情報が自装置の識別情報でないと判断された場合、端末１０は、第１の実施形態で説明したステップＳ１２０３以降の処理を実行する。一方、受付した識別情報が自装置の識別情報であると判断された場合、端末１０の受付部１９は、処理をステップＳ２００２に移行させる。
【０２０２】
ステップＳ２００２に移行すると、端末１０の表示制御部１７は、例えば、図２２に示すような、受付した識別情報が自端末の識別情報であることを示すダイアログ２２０１を、表示部１０００に表示させる。
【０２０３】
図２２の例では、ダイアログ２２０１には、発信できなかったことを示すメッセージ２２０２、及び受付した識別情報が自端末の識別情報であることを示すメッセージ２２０３等が含まれる。
【０２０４】
この処理により、端末１０は、自装置の識別情報への発信を受付した場合、ステップＳ１２０３以降の処理を省略して、利用者に発信できないことを迅速に通知することができるようになる。
【０２０５】
また、図２０のステップＳ１２０３において、受付した識別情報が宛先リストに存在しないと判断された場合、本実施形態に係る端末１０は、ステップＳ２００３〜Ｓ２００５の処理を実行する。
【０２０６】
ステップＳ２００３において、端末１０の受付部１９は、受付した識別情報が管理システム５０で利用可能であるか（管理システム５０に登録されているか）を判断する。例えば、受付部１９は、照会部２１を用いて、管理システム５０に受付した識別情報が管理システム５０で利用可能であるかを照会する。
【０２０７】
図２１は、第２の実施形態に係る照会処理の例を示すシーケンス図である。
【０２０８】
ステップＳ２１０１において、端末１０の照会部２１は、受付した識別情報が管理システム５０で利用可能であるかを照会する利用可否照会情報を、管理システム５０に送信する。
【０２０９】
ステップＳ２１０２において、管理システム５０の端末管理部５３は、端末管理ＤＢ５００３に記憶されている、例えば、図８（ａ）に示すような端末管理テーブル８０１に、対象となる識別情報が登録されているか否かを照合する。
【０２１０】
ステップＳ２１０３において、管理システム５０の端末管理部５３は、照会結果を端末１０に返信する。例えば、利用可否照会情報に含まれる識別情報が、端末管理テーブル８０１に登録されている場合、管理システム５０の端末管理部５３は、「利用可」の照会結果を端末１０に返信する。一方、利用可否照会情報に含まれる識別情報が、端末管理テーブル８０１に登録されていない場合、管理システム５０の端末管理部５３は、「利用不可」の照会結果を端末１０に返信する。
【０２１１】
図２０に戻り、端末の発信処理の説明を続ける。
【０２１２】
ステップＳ２００３において、端末１０の受付部は、例えば、管理システム５０からの照会結果に基づいて、受付した識別情報が管理システム５０で利用可能であるか否かを判断する。
【０２１３】
受付した識別情報が管理システム５０で利用可能でないと判断された場合、端末１０の表示制御部１７は、ステップＳ２００４において、図２３に示すような、受付した識別情報が利用できないことを示すダイアログ２３０１を表示部１０００に表示させる。
【０２１４】
一方、受付した識別情報が管理システム５０で利用可能でないと判断された場合、端末１０の表示制御部１７は、ステップＳ２００５において、図２４に示すような、受付した識別情報の宛先リストへの登録を促すダイアログ２４０１を表示部１０００に表示させる。
【０２１５】
図２３に示す例では、受付した識別情報が利用できないことを示すダイアログ２３０１には、発信できなかったことを示すメッセージ２３０２、識別情報が利用できないことを示すメッセージ２３０２、識別情報の情報２３０４等が表示されている。
【０２１６】
このダイアログ２３０１により、利用者は、発信操作に用いた識別情報が受付リストに登録されていないこと、及び管理システム５０で利用できない識別情報であること（宛先リストに登録できない識別情報であること）を判断することができるようになる。
【０２１７】
図２４に示す例では、受付した識別情報の宛先リストへの登録を促すダイアログ２４０１には、発信できなかったことを示すメッセージ２４０２、及び利用者に識別情報の宛先リストへの登録を促すメッセージ２４０３等が含まれる。
【０２１８】
このダイアログ２４０１により、利用者は、発信操作に用いた識別情報に発信するためには、識別情報を宛先リストに登録する必要があることを判断することができるようになる。
【０２１９】
なお、ステップＳ２００３において、端末１０の受付部１９は、照会部２１を用いずに、例えば、予め記憶部２３に記憶した、管理システム５０に登録済の識別情報のリスト等に基づいて受付した識別情報が利用可能か否かを判断するものであっても良い。
【０２２０】
以上、本発明の各実施形態によれば、宛先リストを用いて通信先の端末と通信を開始する伝送システム（通信システム）１において、利用者が端末（情報処理端末）１０を用いて他の端末と迅速に通信を開始することができるようになる。
【０２２１】
なお、上記の端末（情報処理端末）１０、伝送システム（通信システム）１、情報処理方法、及びプログラムは、上記の各実施形態そのままに限定されるものではなく、実施段階ではその要旨を逸脱しない範囲で構成要素を変形して具体化することができる。また、上記の各実施形態に開示されている複数の構成要素の適宜な組み合わせにより、種々の発明を形成することができる。
【符号の説明】
【０２２２】
１        伝送システム（通信システム）
２        伝送ネットワーク（ネットワーク）
１０      伝送端末（端末、情報処理端末）
１１      送受信部（送信部、受信部）
１７      表示制御部
１８      作成部
１９      受付部
２１      照会部
５０      伝送管理システム（管理システム）
５３      端末管理部
５６      宛先リスト管理部
５７      セッション管理部
１２０    ディスプレイ（表示部の一例）
【先行技術文献】
【特許文献】
【０２２３】
【特許文献１】特開２０１５−０２９２５２号公報
【特許文献２】特開２０１４−１４６２８１号公報
【図１】
2018050283.tif 000003
【図２】
2018050283.tif 000004
【図３】
2018050283.tif 000005
【図４】
2018050283.tif 000006
【図５】
2018050283.tif 000007
【図６】
2018050283.tif 000008
【図７】
2018050283.tif 000009
【図８】
2018050283.tif 000010
【図９】
2018050283.tif 000011
【図１０】
2018050283.tif 000012
【図１１】
2018050283.tif 000013
【図１２】
2018050283.tif 000014
【図１３】
2018050283.tif 000015
【図１４】
2018050283.tif 000016
【図１５】
2018050283.tif 000017
【図１６】
2018050283.tif 000018
【図１７】
2018050283.tif 000019
【図１８】
2018050283.tif 000020
【図１９】
2018050283.tif 000021
【図２０】
2018050283.tif 000022
【図２１】
2018050283.tif 000023
【図２２】
2018050283.tif 000024
【図２３】
2018050283.tif 000025
【図２４】
2018050283.tif 000026